(57)【要約】  ＳＩＲの測定値を目標ＳＩＲに合致するように送信側に送信電力制御を行わせる送信電力制御方法及びその装置であって、受信側の受信環境毎に設定され、受信データのエラーレートに対応する目標ＳＩＲを格納した記憶手段（変換テーブル格納メモリ４０）と、受信側で測定された受信環境又は選択された受信環境に応じて前記目標ＳＩＲに更新する制御手段（変換テーブル切替制御部３８）とを備え、受信側の受信環境を数値化し、受信データのエラーレートに対応する目標ＳＩＲを前記受信環境毎に設定し、受信側で測定された受信環境又は選択された受信環境に応じて前記目標ＳＩＲを変更する。斯かる構成により、受信環境に適応する電力制御の高精度化を図ることができる。
2009084091.tif 000002
【特許請求の範囲】
【請求項１】
受信側で測定された信号対干渉比（ＳＩＲ）を目標ＳＩＲに合致するように送信側に送信電力制御を行わせる送信電力制御方法であって、
受信側の受信環境を数値化し、受信データのエラーレートに対応する目標ＳＩＲを前記受信環境毎に設定し、
受信側で測定された受信環境又は選択された受信環境に応じて前記目標ＳＩＲを変更することを特徴とする送信電力制御方法。
【請求項２】
請求項１記載の送信電力制御方法において、
前記目標ＳＩＲに対する補正値を受信環境毎に設定し、その補正値により前記目標ＳＩＲを受信環境の変化に応じて増減させて変更することを特徴とする送信電力制御方法。
【請求項３】
請求項１記載の送信電力制御方法において、
数値化される前記受信環境はフェージング環境であることを特徴とする送信電力制御方法。
【請求項４】
請求項１記載の送信電力制御方法において、
数値化される前記受信環境はマルチパス環境であることを特徴とする送信電力制御方法。
【請求項５】
請求項１記載の送信電力制御方法において、
数値化される前記受信環境は受信周波数であることを特徴とする送信電力制御方法。
【請求項６】
請求項１記載の送信電力制御方法において、
数値化される前記受信環境は温度であることを特徴とする送信電力制御方法。
【請求項７】
請求項１記載の送信電力制御方法において、
マルチパス環境、受信周波数又は温度を数値化し、受信環境に適用した目標ＳＩＲオフセット値を求め、この目標ＳＩＲオフセット値でフェージング環境に対応する前記目標ＳＩＲを修正することを特徴とする送信電力制御方法。
【請求項８】
受信側で測定されたＳＩＲを目標ＳＩＲに合致するように送信側に送信電力制御を行わせる送信電力制御装置であって、
受信側の受信環境毎に設定され、受信データのエラーレートに対応する目標ＳＩＲを格納した記憶手段と、
受信側で測定された受信環境又は選択された受信環境に応じて前記目標ＳＩＲに更新する制御手段と、
を備えることを特徴とする送信電力制御装置。
【請求項９】
請求項８記載の送信電力制御装置において、
前記制御手段は、前記目標ＳＩＲに対する補正値を受信環境毎に設定し、その補正値により前記目標ＳＩＲを受信環境の変化に応じて増減させて変更することを特徴とする送信電力制御装置。
【請求項１０】
請求項８記載の送信電力制御装置において、
数値化される前記受信環境はマルチパス環境であることを特徴とする送信電力制御装置。
【請求項１１】
請求項１１又は１２記載の送信電力制御装置において、
数値化される前記受信環境はフェージング環境であることを特徴とする送信電力制御装置。
【請求項１２】
請求項８記載の送信電力制御装置において、
数値化される前記受信環境は受信周波数であることを特徴とする送信電力制御装置。
【請求項１３】
請求項８記載の送信電力制御装置において、
数値化される前記受信環境は温度であることを特徴とする送信電力制御装置。
【請求項１４】
請求項８記載の送信電力制御装置において、
マルチパス環境、受信周波数又は温度を数値化し、受信環境に適用した目標ＳＩＲオフセット値を算出する演算手段と、
フェージング環境に対応する前記目標ＳＩＲオフセット値を前記目標ＳＩＲに加算する加算手段と、
を備えることを特徴とする送信電力制御装置。
【発明の詳細な説明】
【技術分野】
【０００１】
本発明は、無線通信システムの送信電力制御方法及びその装置に関し、特に、Ｗ−ＣＤＭＡ（Wideband-Code Division Multiple Access）方式の無線通信システム等に用いられる送信電力制御方法及びその装置に関する。
【背景技術】
【０００２】
Ｗ−ＣＤＭＡ方式は、ＩＭＴ−２０００（International Mobile Telecommunications-2000）で定められた無線通信インタフェースの１つであって、無線通信方式の主流となっており、最大３８４〔kbps〕の伝送速度を持ち、音声、動画像、データ等のマルチメディアアクセスを可能にしている。このＷ−ＣＤＭＡ方式の通信技術をベースにした通信システムとして、ＨＳＤＰＡ（High Speed Downlink Packet Access ）方式の研究・開発が進められている。このＨＳＤＰＡ方式は、下り方向への高速なダウンリンクパケット伝送を行うものであって、最大１４．４〔Mbps〕の伝送速度を実現する。【０００３】
このような無線通信方式における電力制御に関し、特許文献１では、Ａ−ＤＰＣＨ送信電力設定部、目標誤り率設定部及びＨＳ−ＳＣＣＨ送信電力設定部を備え、Ａ−ＤＰＣＨ送信電力設定部は、Ａ−ＤＰＣＨを割り当てられた各移動局装置（ＭＳ）に対して送信電力を設定し、目標誤り率設定部は、各ＭＳ宛ての制御情報を送信する場合のＨＳ−ＳＣＣＨの目標受信誤り率Target BLER を各ＭＳとの間の伝搬環境に基づいて個別に設定し、ＨＳ−ＳＣＣＨ送信電力設定部は、設定された送信電力および目標受信誤り率Target BLER に基づいて、各ＭＳ宛ての制御情報を送信する場合のＨＳ−ＳＣＣＨの送信電力を設定することが開示されている。【０００４】
特許文献２では、複数の無線通信装置の中の少なくとも移動する無線通信装置を含み、パケットを伝送するトラフィックチャネルと、パケットの受信用の制御情報を伝送する制御チャネルと、送信電力制御情報を含む情報を伝送するチャネルとを少なくとも含むチャネルを多重化して、基地局等の一方の無線通信装置と移動局等の他方の無線通信装置との間で無線通信する移動無線通信システム及び無線通信装置において、一方の無線通信装置から他方の無線通信装置に対して、送信電力制御情報を含む情報を伝送するチャネルによる送信電力制御情報をパケットの長さに比較して長い一定の周期で送信し、トラフィックチャネルによるパケットの送信時に制御チャネルにより送信電力制御情報を送信することが開示されている。【０００５】
また、特許文献３では、受信側で受信データのエラーレートと目標エラーレートを比較して目標とする希望波／干渉波比率（ＳＩＲ：Signal to Interference Ratio）を制御し、測定ＳＩＲが該目標ＳＩＲに一致するように送信側に送信電力制御を行わせる送信電力制御方法であって、予めエラーレートとＳＩＲの対応特性を測定して保存し、目標エラーレートに対する第１のＳＩＲと測定エラーレートに対する第２のＳＩＲをこの対応特性より求め、第１のＳＩＲと第２のＳＩＲとの差分で目標ＳＩＲを増減して該目標ＳＩＲを更新することが開示されている。
【特許文献１】特開２００５−３０３８３６号公報
【特許文献２】特開２００６−１９７３１８号公報
【特許文献３】ＷＯ２００４／１１４５５１号公報
【発明の開示】
【発明が解決しようとする課題】
【０００６】
従来のＷ−ＣＤＭＡ方式の通信では、図１２に示すように、移動端末装置（ＵＥ：User Equipment）２は、基地局（Node-B）４のサービスエリア６内で移動しながら無線通信を行う。このため、移動端末装置２は、基地局４との間で送受する無線信号の増幅や変復調処理をする送受信部８と、符号化処理や復号処理等を行う信号処理部１０とを備えている。また、基地局４は、移動端末装置２との間で送受する無線信号の増幅器や変復調部等を含む送受信部１２と、符号化処理や復号処理等を行う信号処理部１４と、ネットワーク１６と接続するためのインタフェース部１８とを備えている。【０００７】
Ｗ−ＣＤＭＡ方式の通信では、基地局４から移動端末装置２に送信する信号が移動端末装置２に充分な電力で受信され、且つ大き過ぎる電力で送信することによる他のチャネルへの干渉を最小とするため、移動端末装置２からのリンクにより、移動端末装置２は、一定間隔で送信電力制御（ＴＰＣ：Transmit Power Control）情報を送信し、基地局４は、このＴＰＣ情報に従って送受信部１２の送信電力を増減する送信電力制御を行う。ＴＰＣ情報は、基地局４から送信されるデータ信号等の受信レベル（品質）に応じて生成し、受信レベル（品質）が高い場合は、送信電力を下げる指示、受信レベル（品質）が低い場合は、送信電力を上げる指示を行うための情報である。【０００８】
Ｗ−ＣＤＭＡ方式の無線通信システムのエンハンスとして、Ｆ−ＤＰＣＨ（Fractional Dedicated  Physical Channel）が３ＧＰＰリリース６（3rd Generation Partnership Project Release 6）で標準化されている。これは、ＴＰＣ情報を個別チャネルで送信し、即ち、ＴＰＣ情報としてＴＰＣビット（図１３、図１４）を備えている。【０００９】
ＴＰＣ情報を含むフレーム構成として、図１３にＦ−ＤＰＣＨのフレーム構成、図１４にＤＰＣＨ（Dedicated Physical Channel）のフレーム構成、図１５に、ＤＰＤＣＨ（Dedicated Physical Data Channel ）及び上りリンクのＤＰＣＣＨ（Dedicated Physical Control Channel）のフレーム構成、図１６にＤＰＣＣＨの送信タイミングを示している。ＤＰＤＣＨはユーザ情報であり、ＤＰＣＣＨは制御情報である。【００１０】
ＨＳ−ＰＤＳＣＨ等の共有チャネル（トラフィックチャネル）でデータ受信を行うユーザは、トラフィックデータをＨＳ−ＰＤＳＣＨで伝送しているために、個別チャネル（例えば、ＨＳチャネルとは異なるＤＰＣＨ）で伝送すべきデータが殆ど無い場合が多い。送信電力制御には、ＴＰＣビットを伝送するとともに、個別チャネル（ＤＰＣＨ）をＨＳ−ＰＤＳＣＨと同時に接続している必要があり、データ伝送の必要が無いにも拘らず１コードを占有するため、結果的には同様なユーザが複数存在することでリソース不足を招く。そこで、Ｆ−ＤＰＣＨは、個別チャネルで伝送するデータが無いユーザに対し、ＴＰＣビットのみを送信することにより、リソース不足を解消している。【００１１】
既述の通り、Ｗ−ＣＤＭＡ方式では、基地局４から移動端末装置２に送信する信号が、移動端末装置２で充分な電力で受信され、且つ過大な電力で送信することによる他のチャネルへの干渉を最小とするために移動端末装置２からの上りリンクにより、一定間隔でＴＰＣ情報を送信し、基地局４は、このＴＰＣ情報に従って送受信部１２の送信電力を増減する送信電力制御が行われる。このＴＰＣ情報は、基地局４から送信されるデータ信号等の受信レベル（品質）に応じて生成し、受信レベル（品質）が高い場合は、送信電力を下げる指示、受信レベル（品質）が低い場合は、送信電力を上げる指示を行う。【００１２】
個別チャネル（ＤＰＣＨ）では、高精度なＴＰＣ制御を行うために、ＳＩＲを測定し、このＳＩＲを所要の受信品質となる Target ＳＩＲに制するインナーループＴＰＣ制御と、伝送路のパス数や移動速度等の伝播環境に順応するためにＤＰＣＨのＣＲＣ演算を行い、所要ＢＬＥＲ（Block Error Rate）となるように Target ＳＩＲを補正するアウターループＴＰＣ制御の２つの高速ＴＰＣ制御を行っている。【００１３】
Ｆ−ＤＰＣＨのＴＰＣ制御は、Ｆ−ＤＰＣＨのデータフォーマットにＣＲＣ信号が付加されていないため、ＴＰＣビットのＳＩＲとＦ−ＤＰＣＨの受信品質の対応付けを行い、所要のＦ−ＤＰＣＨ受信品質となるように、 Target ＳＩＲを設定し、測定したＴＰＣビットのＳＩＲを Target ＳＩＲに制御する。【００１４】
斯かる制御には、Ｆ−ＤＰＣＨのＩＳＣＰ(Interference Signal Code Power)、ＲＳＣＰ(Received Signal Code Power)の算出処理（図１７）が必要である。ＩＳＣＰは、干渉波受信電力であり、ＲＳＣＰは、希望波受信電力である。また、図１７は、Ｆ−ＤＰＣＨにおけるＩＳＣＰとＲＳＣＰ、及びＳＩＲ算出処理のタイムチャートイメージをシンボル単位で示した図である。【００１５】
移動機である移動端末装置２でのＦ−ＤＰＣＨ復調には、あるｓｌｏｔ（ｓｌｏｔ＃〈ｎ〉とする）を復調するためにＣＰＩＣＨ（Common Pilot Channel）のｓｌｏｔ＃〈ｎ−１〉の受信波からチャネル推定フィルタ処理が必要である。この処理は、Ｆ−ＤＰＣＨ受信後、１０２４〔chip〕後にＴＰＣコマンドに従って上りリンクの送信電力を制御するためである。また、１０２４〔chip〕後に送信する上りＤＰＣＣＨにＴＰＣビットをマッピング制御するために、Ｆ−ＤＰＣＨの受信品質の測定が必要である。ｓｌｏｔ＃〈ｎ〉のＦ−ＤＰＣＨの受信品質を測定するために、ＣＰＩＣＨのｓｌｏｔ＃〈ｎ−１〉の受信データからチャネル推定フィルタ処理を行い、ＩＳＣＰとＲＳＣＰを算出する。【００１６】
ＩＳＣＰは受信信号の干渉電力である。このＩＳＣＰは、ｓｌｏｔ＃〈ｎ〉のＦ−ＤＰＣＨのＴＰＣシンボルの受信時刻と同時刻に受信したＣＰＩＣＨシンボルと、ＣＰＩＣＨのｓｌｏｔ＃〈ｎ−１〉の受信波からチャネル推定フィルタ処理で算出されたチャネル推定値との演算処理により算出される。そのため、チャネル推定フィルタの中心時刻が過去の時刻であったり、フェージング環境やマルチパス環境等でチャネル推定結果が短時間で変動し、過去のチャネル推定値と現在のチャネル推定値が異なる環境下では、ＩＳＣＰ値が劣化する。本来、干渉電力は移動機のフェージング環境やマルチパス環境に影響しない物理量であるので、フェージング環境やマルチパス環境下では、ＩＳＣＰの精度が劣化する。そのため、Ｆ−ＤＰＣＨのＳＩＲ測定精度が劣化してしまい、 Target ＴＰＣ Command Error Rate への変換精度が低下する。移動端末装置２から基地局４に電力制御信号が送信されるが、この電力制御信号は基地局４から移動端末装置２にも送信されるので、移動端末装置２では、その受信データのエラーレートを検出することができる。このエラーレートが Target ＴＰＣ Command Error Rate である。【００１７】
従来、 Target ＴＰＣ Command Error Rate に対応するＦ−ＤＰＣＨの目標ＳＩＲ（TargetＳＩＲ）を求めるには、図１８に示すように、 Target ＴＰＣ Command Error Rate と対応するTargetＳＩＲを表す変換テーブルが用いられている。【００１８】
このような変換テーブル（図１８）では、フェージング環境のように通常環境と異なる状態を想定していないため、適正な Target ＳＩＲに変換できないため、必要な電力制御を行えない。【００１９】
基地局４でＦ−ＤＰＣＨの電力制御が正常に行えない場合には、必要以上の電力を送信することとなる。過剰な電力送信は、無線リソースを圧迫し、システムのスループットを低下させることとなる。また、移動端末装置２の受信性能を下回る電力でＦ−ＤＰＣＨを送信すると、移動端末装置２側で送信電力制御が正常に行えないという不都合を生じる。【００２０】
このような課題について、特許文献１〜３にはその示唆や開示はなく、その解決手段についての開示もない。【００２１】
そこで、本発明の目的は、受信環境に適応する送信電力制御の高精度化を図ることにある。
【課題を解決するための手段】
【００２２】
上記目的を達成するため、本発明は、ＳＩＲの測定値を目標ＳＩＲに合致するように送信側に送信電力制御を行わせる送信電力制御方法及びその装置であって、受信側の受信環境を数値化し、受信データのエラーレートに対応する目標ＳＩＲを、受信側で測定された受信環境又は選択された受信環境に応じて変更すれば、受信環境に適応する電力制御の高精度化を図ることができる。【００２３】
上記目的を達成するため、本発明の第１の側面は、受信側で測定された信号対干渉比（ＳＩＲ）を目標ＳＩＲに合致するように送信側に送信電力制御を行わせる送信電力制御方法であって、受信側の受信環境を数値化し、受信データのエラーレートに対応する目標ＳＩＲを前記受信環境毎に設定し、受信側で測定された受信環境又は選択された受信環境に応じて前記目標ＳＩＲを変更することである。斯かる構成によれば、受信環境毎に設定された目標ＳＩＲを受信環境の変化に応じて変更するので、受信環境に則して高精度に電力制御を行うことができ、上記目的を達成することができる。【００２４】
上記目的を達成するためには、上記送信電力制御方法において、好ましくは、  前記目標ＳＩＲに対する補正値を受信環境毎に設定し、その補正値により前記目標ＳＩＲを受信環境の変化に応じて増減させて変更してもよく、また、数値化される前記受信環境はフェージング環境であってもよく、また、数値化される前記受信環境はマルチパス環境であってもよく、また、数値化される前記受信環境は受信周波数であってもよく、また、数値化される前記受信環境は温度であってもよく、また、マルチパス環境、受信周波数又は温度を数値化し、受信環境に適用した目標ＳＩＲオフセット値を求め、この目標ＳＩＲオフセット値でフェージング環境に対応する前記目標ＳＩＲを修正してもよい。斯かる構成によっても、上記目的を達成することができる。【００２５】
上記目的を達成するため、第２の側面は、受信側で測定されたＳＩＲを目標ＳＩＲに合致するように送信側に送信電力制御を行わせる送信電力制御装置であって、受信側の受信環境毎に設定され、受信データのエラーレートに対応する目標ＳＩＲを格納した記憶手段と、受信側で測定された受信環境又は選択された受信環境に応じて前記目標ＳＩＲに更新する制御手段とを備えることである。斯かる構成によっても、上記目的を達成することができる。【００２６】
上記目的を達成するためには、上記送信電力制御装置において、好ましくは、前記制御手段は、前記目標ＳＩＲに対する補正値を受信環境毎に設定し、その補正値により前記目標ＳＩＲを受信環境の変化に応じて増減させて変更してもよく、また、数値化される前記受信環境はマルチパス環境であってもよく、また、数値化される前記受信環境はフェージング環境であってもよく、また、数値化される前記受信環境は受信周波数であってもよく、また、数値化される前記受信環境は温度であってもよく、また、マルチパス環境、受信周波数又は温度を数値化し、受信環境に適用した目標ＳＩＲオフセット値を算出する演算手段と、フェージング環境に対応する前記目標ＳＩＲオフセット値を前記目標ＳＩＲに加算する加算手段とを備える構成としてもよい。斯かる構成によっても、上記目的を達成することができる。
【発明の効果】
【００２７】
本発明によれば、次のような効果が得られる。【００２８】
(1) 受信側の受信環境及びその変化に適応した目標ＳＩＲを求めて基地局側の送信電力を制御するので、受信環境に適応する送信電力に制御できる。【００２９】
(2) フェージング環境、マルチパス環境、温度、受信周波数等の受信環境及びその変化に適応して受信データのエラーレートを高精度に測定でき、そのエラーレートを用いるので、基地局側の電力制御を改善できる。【００３０】
(3) 送信側の送信電力を抑制できるので、無線リソースの圧迫やシステムのスループットの低下を防止でき、また、受信側の受信性能を下回る送信電力での送信を防止できるので、受信側の送信電力制御を損なうことがなく、受信側の送受信スループットとシステムスループットを改善できる。
【００３１】
そして、本発明の他の目的、特徴及び利点は、添付図面及び各実施の形態を参照することにより、一層明確になるであろう。
【図面の簡単な説明】
【００３２】
【図１】第１の実施の形態に係る移動端末装置の構成例を示す図である。
【図２】変換テーブル格納メモリに格納された変換テーブル群の一例を示す図である。
【図３】変換テーブルの一例を示す図である。
【図４】ＴＰＣコマンドの生成処理の処理手順の一例を示す図である。
【図５】通常環境及びフェージング環境下のＦ−ＤＰＣＨ受信時のＳＩＲ特性及びＴＰＣ Command Error Rate を示す図である。
【図６】第２の実施の形態に係る移動端末装置の構成例を示す図である。
【図７】変換テーブル格納メモリに格納された変換テーブル群の一例を示す図である。
【図８】変換テーブルの一例を示す図である。
【図９】ＴＰＣコマンドの生成処理の処理手順の一例を示す図である。
【図１０】第３の実施の形態に係る移動端末装置の構成例を示す図である。
【図１１】他の実施の形態に係る移動端末装置の構成例を示す図である。
【図１２】移動端末装置と基地局との無線通信システムを示す図である。
【図１３】Ｆ−ＤＰＣＨのフレーム構成を示す図である。
【図１４】ＤＰＣＨのフレーム構成を示す図である。
【図１５】ＤＰＤＣＨ及び上りリンクのＤＰＣＣＨのフレーム構成を示す図である。
【図１６】ＤＰＣＣＨの送信タイミングを示す図である。
【図１７】Ｆ−ＤＰＣＨにおけるＩＳＣＰとＲＳＣＰ及びＳＩＲ算出処理のタイムチャートイメージをシンボル単位で示した図である。
【図１８】Target ＴＰＣ Command Error Rate に対応するTargetＳＩＲの変換テーブルを示す図である。
【符号の説明】
【００３３】
２  移動端末装置
３８  変換テーブル切替制御部
４０、６９  変換テーブル格納メモリ
６８  環境情報格納メモリ
８２   Target ＳＩＲオフセット加算値算出部
【発明を実施するための最良の形態】
【００３４】
〔第１の実施の形態〕【００３５】
第１の実施の形態について、図１を参照する。図１は、第１の実施の形態に係る移動端末装置を示す図である。図１に示す構成は一例であって、斯かる構成に本発明が限定されるものではない。【００３６】
この第１の実施の形態は、受信環境及びその変化として例えば、フェージング速度及び／又はマルチパス数に適応した Target ＴＰＣ Command Error Rate を Target ＳＩＲに変換する複数の変換テーブルを受信環境毎に設定し、フェージング速度及び／又はマルチパス数を測定し、測定された受信環境及びその変化に適した変換テーブルに切り替えることにより、その変換テーブルから Target ＳＩＲを求め、この Target ＳＩＲと測定されたＳＩＲとを比較して Target ＳＩＲを用いて電力制御を行う構成である。ここで、 Target ＴＰＣ Command Error Rate は、移動端末装置２（図１２）から基地局４（図１２）に送信され、基地局４から移動端末装置２に送信されるＴＰＣ Commandの受信データから検出されるエラーレートであり、 Target ＳＩＲは、そのエラーレートによって設定される目標値である信号対干渉比である。斯かる構成では、受信環境及びその変化に則して「 Target ＳＩＲ」を求めれば、ＴＰＣ制御の高精度化が図られ、Ｆ−ＤＰＣＨの電力制御を適切に行うことができる。【００３７】
移動端末装置２は、送信電力制御装置の一例であって、Ｆ−ＤＰＣＨのＴＰＣ制御に対応する移動機を構成し、ＴＰＣ制御データを含む無線信号を基地局４に送信し、基地局４（図１２）からＴＰＣ制御データ無線信号を受信する。【００３８】
受信部２０は、基地局４（図１２）から送信された信号を受信アンテナ２２により受信し、その受信信号に周波数変換や直交検波を施し、ベースバンド信号を取得する。パスサーチ処理部２４は、パスの検出手段であって、受信部２０で取得したＣＰＩＣＨ（Common Pilot Channel）を用いてパス検出をする。逆拡散処理部２６は、受信部２０の受信信号と、パスサーチ処理部２４のパス検出出力を受け、受信信号に逆拡散処理等を行うとともに、各チャネルの分離を行い、Ｆ−ＤＰＣＨ（Fractional Dedicated  Physical Channel）を取得する。チャネル推定処理部２８は、Ｆ−ＤＰＣＨのチャネル推定処理、及びチャネル補償処理を行い、また、チャネル推定処理部３０は、ＣＰＩＣＨのチャネル推定処理及びチャネル補償処理を行う。そして、ＳＩＲ測定処理部３２は、受信データからＳＩＲを測定する測定手段であって、各チャネル推定処理部２８、３０の出力を用いてＳＩＲの測定処理を行う。【００３９】
フェージング速度測定処理部３４は、チャネル推定処理部３０からＣＰＩＣＨの出力を受け、フェージング速度ＦＶを測定する。このフェージング速度ＦＶは受信環境及びその変化を示し、このフェージング速度ＦＶの測定は受信環境の数値化である。また、マルチパス数測定処理部３６は、パスサーチ処理部２４のパス検出に基づき、マルチパス数ＭＰを測定する。このマルチパス数ＭＰは受信経路数であって、受信環境及びその変化を示し、このマルチパス数ＭＰの測定は受信環境の数値化である。フェージング速度測定処理部３４及びマルチパス数測定処理部３６の各出力は変換テーブル切替制御部３８に加えられている。この変換テーブル切替制御部３８は、変換テーブル格納メモリ４０にある変換テーブルの切替制御手段であって、 Target ＴＰＣ Command Error Rate を Target ＳＩＲに変換する複数の変換テーブルをフェージング速度ＦＶ及び／又はマルチパス数ＭＰにより切り替える。【００４０】
変換テーブル格納メモリ４０は、記憶手段に格納された複数のデータテーブルであって、受信環境としてフェージング速度ＦＶ及びマルチパス数ＭＰをパラメータとし、 Target ＴＰＣ Command Error Rate に対応する Target ＳＩＲが格納されている。 Target ＴＰＣ Command Error Rate は、エラーレート格納メモリ４２に格納されたデータであって、ＵＴＲＡＮ（UMTS Terrestrial Radio Access Network ）から提供されるが、独自の値を用いてもよい。エラーレート格納メモリ４２は、提供された Target ＴＰＣ Command Error Rate を格納する記憶手段である。【００４１】
この実施の形態では、変換テーブル切替制御部３８により、フェージング速度ＦＶ及び／又はマルチパス数ＭＰに適応した変換テーブル格納メモリ４０にある変換テーブルの切替え制御が行われる。【００４２】
Target ＳＩＲ制御部４４は、切り替えられた変換テーブルと、エラーレート格納メモリ４２にある Target ＴＰＣ Command Error Rate とを用いて Target ＳＩＲを求め、この Target ＳＩＲは、ＴＰＣコマンド生成部４６に供給する。【００４３】
ＴＰＣコマンド生成部４６は、基地局４側に提供するための電力制御情報である電力制御コマンドの生成手段であって、ＳＩＲ測定処理部３２からのＳＩＲ測定結果と、 Target ＳＩＲ制御部４４からの Target ＳＩＲとを比較し、ＴＰＣコマンドを生成する。このＴＰＣコマンドは、基地局４側に対し、電力増強（ＵＰ）又は電力低減（ＤＯＷＮ）を指示する指示情報である。ＴＰＣコマンド生成部４６は、ＳＩＲ測定結果と Target ＳＩＲとの比較、即ち、両者の多寡に応じて電力増強（ＵＰ）又は電力低減（ＤＯＷＮ）の制御情報を生成し、Ｐｉｌｏｔ／ＴＦＣＩ（Transport Format Combination Indicator）／ＦＢＩ（Feedback Information）／ＴＰＣスケジューリング処理部４８に提供する。Ｐｉｌｏｔは、受信信号の振幅変動をチェックするために挿入されるパイロットビットである。ＴＦＣＩは、受信フレームのＤＰＤＣＨに多重されているトランスポートチャネルの数や各トランスポートチャネルのフォーマット形式を表す情報である。また、ＦＢＩは、送信側で行う送信ダイバシチのために移動端末装置２から基地局４に対して伝送される制御信号である。【００４４】
Ｐｉｌｏｔ／ＴＦＣＩ／ＦＢＩ／ＴＰＣのスケジューリング処理部４８は、上りＤＰＣＣＨのＰｉｌｏｔ、ＴＦＣＩ、ＦＢＩ、ＴＰＣのスケジューリング処理を行う処理手段である。このスケジューリング処理部４８のスケジューリング処理には、上り送信タイミング管理部５０から提供される送信タイミング信号が用いられる。上り送信タイミング管理部５０は、移動端末装置２から基地局４に送信される上り信号の送信タイミングを生成する手段であって、下り受信タイミング監視部５２から提供される受信タイミング信号を用いて送信タイミング信号を生成する。また、下り受信タイミング監視部５２は、受信部２０から受信タイミング信号の提供を受け、この受信タイミング信号を用いて下り受信タイミングを監視する。【００４５】
ＤＰＣＣＨ符号化処理部５４は、スケジューリング処理部４８から提供される制御情報であるＤＰＣＣＨを符号化する。変調処理部５６はＤＰＣＣＨや各上りチャネルの変調処理を行う処理手段であって、その変調信号を送信部５８に送出する。送信部５８は、上りチャネルの送信手段であって、ＤＰＣＣＨや各上りチャネルの変調信号で変調された送信信号を基地局４に向け、アンテナ６０により送信する。【００４６】
次に、変換テーブル格納メモリ４０について、図２及び図３を参照する。図２は、変換テーブル群を示す図、図３は、変換テーブルを示す図である。図２及び図３の変換テーブルは一例であって、斯かる変換テーブルに本発明が限定されるものではない。【００４７】
変換テーブル格納メモリ４０には、複数の変換テーブルからなる変換テーブル群４００が格納されており、変換テーブル群４００は、図２に示すように、フェージング速度ＦＶ及びマルチパス数ＭＰをパラメータとして Target ＴＰＣ Command Error Rate に対応する Target ＳＩＲからなる６組の変換テーブル４０１、４０２、４０３、４０４、４０５、４０６が設定されている。変換テーブル４０１はＭＰ＝１、変換テーブル４０２はＭＰ＝２、変換テーブル４０３はＭＰ＝３・・・変換テーブル４０６はＭＰ＝６に対応している。【００４８】
一例として、変換テーブル４０１（ＭＰ＝１）は、図３に示すように、フェージング速度ＦＶとして、ＦＶ1 ＝０〔ｋｍ／ｈ〕、ＦＶ2 ＝３０〔ｋｍ／ｈ〕、ＦＶ3 ＝６０〔ｋｍ／ｈ〕、ＦＶ4 ＝９０〔ｋｍ／ｈ〕、ＦＶ5 ＝１２０〔ｋｍ／ｈ〕をパラメータに用いて、 Target ＴＰＣ Command Error Rate に対応する Target ＳＩＲが設定されている。【００４９】
従って、変換テーブル群４００によれば、フェージング速度ＦＶやマルチパス数ＭＰを算出すれば、フェージング速度ＦＶやマルチパス数ＭＰに応じて変換テーブルの切替え処理により選択された変換テーブル４０１、４０２、４０３、４０４、４０５又は４０６の何れかによりフェージング速度ＦＶやマルチパス数ＭＰに応じた Target ＴＰＣ Command Error Rate を Target ＳＩＲに変換して取り出すことができる。【００５０】
次に、電力制御のための処理手順について、図４を参照する。図４は、ＴＰＣコマンドの生成処理の処理手順を示すフローチャートである。この処理手順は一例であって、この処理手順に本発明が限定されるものではない。【００５１】
電力制御の開始により、受信環境としてフェージング速度の制御が有効か否かが判定され（ステップＳ１１）、フェージング速度の制御が有効であれば（ステップＳ１１のＹｅｓ）、フェージング速度の数値化処理が実行され（ステップＳ１２）、フェージング速度が変換テーブル格納メモリ４０にある変換テーブル４０１、４０２・・・４０６の選択処理に用いられる。【００５２】
フェージング速度の制御が有効でなければ（ステップＳ１１のＮｏ）、フェージング速度の数値化処理を行うことなく、受信環境としてマルチパス数の制御が有効か否かが判定され（ステップＳ１３）、マルチパス数の制御が有効であれば（ステップＳ１３のＹｅｓ）、マルチパス数の数値化処理が実行され（ステップＳ１４）、マルチパス数が変換テーブル格納メモリ４０にある変換テーブル４０１、４０２・・・４０６の選択処理に用いられる。【００５３】
マクチパス数の制御が有効でなければ（ステップＳ１３のＮｏ）、マルチパス数の数値化処理を行うことなく、 Target ＳＩＲの変換テーブルの選出が行われ（ステップＳ１５）、選出された変換テーブルとエラーレート格納メモリ４２にあるエラーレートとを用いて Target ＳＩＲの変換処理が実行され（ステップＳ１６）、この変換処理で求められた Target ＳＩＲからＴＰＣコマンドが生成され（ステップＳ１７）、このＴＰＣコマンドの生成の後、既述のスケジューリング処理が実行される。【００５４】
従って、Ｆ−ＤＰＣＨのＴＰＣ制御において、TargetＴＰＣ Command Error Rate を Target ＳＩＲに変換する変換テーブルとして、受信環境及びその変化であるフェージング速度やマルチパス数に適応したTargetＴＰＣ Command Error Rate を Target ＳＩＲに変換する複数の変換テーブル４０１〜４０６を異なるフェージング速度やマルチパス数毎に設定すれば、測定されたフェージング速度やマルチパス数を用いることにより、その受信環境に適したデータを格納する変換テーブル４０１〜４０６に切り替え、その変換テーブル４０１〜４０６の何れかの変換テーブルを用いて、 Target ＳＩＲと測定したＳＩＲを比較し、受信環境及びその変化に対応する最適な Target ＳＩＲを求めてＴＰＣ制御を行うことができ、Ｆ−ＤＰＣＨの電力制御を適切に行うことができる。【００５５】
Ｆ−ＤＰＣＨ受信時でのフェージング環境やマルチパス環境に適応して、Ｆ−ＤＰＣＨのＴＰＣ Command Error Rate に対応する Target ＳＩＲを高精度に測定することが可能となるので、基地局４でのＦ−ＤＰＣＨの電力制御を改善でき、高精度化を図ることができる。【００５６】
そのため、基地局４が必要以上の電力を送信して無線リソースを圧迫し、システムのスループットが低下してしまう問題を解消でき、また、基地局４が移動端末装置２側の受信性能を下回る電力でＦ−ＤＰＣＨを送信することも避けることができ、移動端末装置２側の送信電力制御を正常に行えないという不都合も改善することができる。結果として、移動端末装置２の送受信スループットとシステムスループットを改善できる。【００５７】
そして、ＳＩＲ特性及びＴＰＣ Command Error Rate について、図５を参照する。図５は、通常環境及びフェージング環境下のＦ−ＤＰＣＨ受信時のＳＩＲ特性及びＴＰＣ Command Error Rate を定量的に示したグラフである。このグラフから明らかなように、通常環境下とフェージング環境下では、ＳＩＲ特性及びＴＰＣ Command Error Rate は大きく異なっており、既述のフェージング速度を測定し、その測定値に応じたTargetＳＩＲを用いれば、通常環境下と同様にＦ−ＤＰＣＨの電力制御の高精度化を図ることができる。【００５８】
〔第２の実施の形態〕【００５９】
第２の実施の形態について、図６を参照する。図６は、第２の実施の形態に係る移動端末装置を示す図である。図６に示す構成は一例であって、斯かる構成に本発明が限定されるものではない。図６において、図１と同一部分には同一符号を付してある。【００６０】
第１の実施の形態では、受信環境及びその変化として例えば、フェージング速度及び／又はマルチパス数に適応した Target ＴＰＣ Command Error Rate を Target ＳＩＲに変換する複数の変換テーブルを受信環境毎に設定し、フェージング速度及び／又はマルチパス数を測定しているが、第２の実施の形態では、フェージング速度及び／又はマルチパス数に加え、受信環境及びその変化として受信周波数、温度又はユーザ設定情報を用いることにより、受信環境及びその変化に適した変換テーブルに切り替えることにより、その変換テーブルから Target ＳＩＲを求め、この Target ＳＩＲと測定されたＳＩＲとを比較して Target ＳＩＲを用いて電力制御を行う構成である。【００６１】
この移動端末装置２は、第１の実施の形態の移動端末装置２（図１）に受信周波数抽出処理部６２、温度設定処理部６４、特異受信環境ユーザ設定処理部６６を備えるとともに、環境情報格納メモリ６８を付加した構成である。【００６２】
受信周波数抽出処理部６２は、受信環境及びその変化としての受信信号から周波数を抽出する周波数抽出手段であって、受信部２０から受信信号を受けることにより、その受信信号を解析して受信周波数として抽出し、その受信周波数又はそれを表す情報を変換テーブル切替制御部３８に供給する。【００６３】
温度設定処理部６４は、受信環境及びその変化としての温度の設定手段であって、環境温度を検出し、その検出温度又はユーザが設定する温度情報又はそれを表す情報を変換テーブル切替制御部３８に供給する。【００６４】
特異受信環境ユーザ設定処理部６６は、ユーザが認識する特異な受信環境を表す情報を設定する手段であって、ユーザが特異な受信環境として、建造物の室内、移動車両例えば、高速バスの車中、鉄道車両例えば、新幹線の列車内を特定するための情報を変換テーブル切替制御部３８に供給する。【００６５】
環境情報格納メモリ６８は、環境情報を格納する記憶手段であって、パラメータであるフェージング速度ＦＶ、マルチパス数ＭＰ、周波数Ｆ、温度Ｔ、特異受信環境設定情報ＸＤが格納されている。【００６６】
また、変換テーブル格納メモリ６９には、フェージング速度ＦＶ、マルチパス数ＭＰ、周波数Ｆ、温度Ｔ又は特異受信環境設定情報ＸＤをパラメータとする、 Target ＴＰＣ Command Error Rate に対応する Target ＳＩＲの変換テーブルが格納されている。【００６７】
その他の構成は第１の実施の形態（図１）と同一であるので、同一符号を付しその説明を省略する。【００６８】
次に、変換テーブル格納メモリ６９について、図７及び図８を参照する。図７は、フェージング速度ＦＶ、マルチパス数ＭＰ、周波数Ｆ及び温度Ｔをパラメータとする Target ＴＰＣ Command Error Rate に対応する Target ＳＩＲの変換テーブル群を示す図、図８は、特異受信環境設定情報ＸＤをパラメータとする Target ＴＰＣ Command Error Rate に対応する Target ＳＩＲの変換テーブルを示す図である。【００６９】
変換テーブル格納メモリ６９には、図７に示すように、複数の変換テーブル群７０として、複数の温度Ｔ1 、Ｔ2 、Ｔ3 ・・・（Ｔ1 ＜Ｔ2 ＜Ｔ3 ）に対応する変換テーブル群７１、７２、７３が設定されている。変換テーブル群７１には、複数の周波数Ｆ1 、Ｆ2 、Ｆ3 、Ｆ4 （Ｆ1 ＜Ｆ2 ＜Ｆ3 ＜Ｆ4 ）毎に変換テーブル群７１１、７１２、７１３、７１４が設定され、他の変換テーブル群７２、７３のそれぞれにも、複数の周波数Ｆ1 、Ｆ2 、Ｆ3 、Ｆ4 （Ｆ1 ＜Ｆ2 ＜Ｆ3 ＜Ｆ4 ）毎に変換テーブル群７２１・・・、７３１・・・が設定されている。【００７０】
変換テーブル群７１１、７１２、７１３、７１４のそれぞれには、マルチパス数ＭＰ1 、ＭＰ2 、ＭＰ3 、ＭＰ4 、ＭＰ5 、ＭＰ6 毎に変換テーブル７１１１、７１１２、７１１３、７１１４・・・７１１６が設定され、他の変換テーブル群７１２、７１３、７１４にも、複数のマルチパス数ＭＰ1 、ＭＰ2 、ＭＰ3 、ＭＰ4 、ＭＰ5 、ＭＰ6 毎に変換テーブル７１２１・・・、７１３１・・・、７１４１・・・が設定されている。変換テーブル７１１１の構成は、図３の変換テーブル４０１と同様であり、他の変換テーブル７１１２、７１１３、７１１４・・・についても同様の編成である。【００７１】
また、変換テーブル格納メモリ６９には、図８に示すように、特異受信環境設定情報ＸＤをパラメータとする変換テーブル８０が格納されている。この変換テーブル８０には、ユーザ設定モードとして特異受信環境の一つである建造物内に対応する室内モード、高速バスの車中に対応する高速バスモード、新幹線の車両内に対応する新幹線モードを表す情報をパラメータとする Target ＴＰＣ Command Error Rate に対応する Target ＳＩＲが格納されている。【００７２】
次に、電力制御のための処理手順について、図９を参照する。図９は、ＴＰＣコマンドの生成処理の処理手順を示すフローチャートである。この処理手順は一例であって、この処理手順に本発明が限定されるものではない。【００７３】
電力制御の開始により、受信環境としてフェージング速度の制御が有効か否かが判定され（ステップＳ２１）、フェージング速度の制御が有効であれば（ステップＳ２１のＹｅｓ）、フェージング速度の数値化処理が実行され（ステップＳ２２）、環境情報格納メモリ６８にあるフェージング速度情報の選択処理に用いられる。【００７４】
フェージング速度の制御が有効でなければ（ステップＳ２１のＮｏ）、フェージング速度の数値化処理を行うことなく、受信環境としてマルチパス数の制御が有効か否かが判定され（ステップＳ２３）、マルチパス数の制御が有効であれば（ステップＳ２３のＹｅｓ）、マルチパス数の数値化処理が実行され（ステップＳ２４）、マルチパス数が環境情報格納メモリ６８にあるマルチパス数の選択処理に用いられる。【００７５】
マルチパス数の制御が有効でなければ（ステップＳ２３のＮｏ）、マルチパス数の数値化処理を行うことなく、受信環境として周波数の制御が有効か否かが判定され（ステップＳ２５）、周波数の制御が有効であれば（ステップＳ２５のＹｅｓ）、周波数の数値化処理が実行され（ステップＳ２６）、周波数が環境情報格納メモリ６８にある周波数情報の選択処理に用いられる。【００７６】
周波数の制御が有効でなければ（ステップＳ２５のＮｏ）、周波数の数値化処理を行うことなく、受信環境として温度の制御が有効か否かが判定され（ステップＳ２７）、温度制御が有効であれば（ステップＳ２７のＹｅｓ）、温度の数値化処理が実行され（ステップＳ２８）、温度が環境情報格納メモリ６８にある温度情報の選択処理に用いられる。【００７７】
温度制御が有効でなければ（ステップＳ２７のＮｏ）、温度の数値化処理を行うことなく、受信環境として特異受信環境の制御が有効か否かが判定され（ステップＳ２９）、特異受信環境制御が有効であれば（ステップＳ２９のＹｅｓ）、特異受信環境として設定された室内モード、高速バスモード又は新幹線モードのユーザ設定処理が実行され（ステップＳ３０）、設定された室内モード、高速バスモード又は新幹線モードに応じて環境情報格納メモリ６８にある特異受信環境設定の選択処理が実行される。【００７８】
これらの処理の後、環境情報格納メモリ６８にあるフェージング速度等の環境情報が参照され（ステップＳ３１）、この環境情報に基づき、変換テーブル格納メモリ６９にある Target ＳＩＲの変換テーブル群７０からの変換テーブル７１１１１（図７）等の選出や変換テーブル８０の選出が実行され（ステップＳ３２）、選出された変換テーブル７１１１等や変換テーブル８０及びエラーレート格納メモリ４２を用いて Target ＳＩＲの変換処理が実行され（ステップＳ３３）、この変換処理で求められた Target ＳＩＲからＴＰＣコマンドが生成され（ステップＳ３４）、このＴＰＣコマンドの生成の後、既述のスケジューリング処理が実行される。【００７９】
従って、Ｆ−ＤＰＣＨのＴＰＣ制御において、TargetＴＰＣ Command Error Rate を Target ＳＩＲに変換する変換テーブルとして、受信環境及びその変化であるフェージング速度、マルチパス数、周波数、温度又は特異受信環境設定の情報に適応したTargetＴＰＣ Command Error Rate を Target ＳＩＲに変換することができ、受信環境やその変化に対応する最適な Target ＳＩＲを求めてＴＰＣ制御を行うことができ、Ｆ−ＤＰＣＨの電力制御を適切に行うことができる。【００８０】
〔第３の実施の形態〕【００８１】
第３の実施の形態について、図１０を参照する。図１０は、第３の実施の形態に係る移動端末装置を示す図である。図１０に示す構成は一例であって、斯かる構成に本発明が限定されるものではない。図１０において、図６と同一部分には同一符号を付してある。【００８２】
第１又は第２の実施の形態では、受信環境及びその変化として例えば、フェージング速度及び／又はマルチパス数、又は、周波数、温度、特異受信環境に適応した Target ＴＰＣ Command Error Rate を Target ＳＩＲに変換する複数の変換テーブルを受信環境毎に設定しているが、第３の実施の形態では、特定の受信環境として、フェージング速度に対応する変換テーブルを設定し、マルチパス数、受信周波数、温度、特異受信環境については、補正データとして、 Target ＳＩＲオフセット加算値を用いることにより、フェージング速度に対応して求めた Target ＳＩＲを Target ＳＩＲオフセット加算値（正又は負）によって Target ＳＩＲを修正し、受信環境及びその変化に対応させた Target ＳＩＲを用いて電力制御を行う構成である。【００８３】
この移動端末装置２は、第２の実施の形態の移動端末装置２（図６）にある変換テーブル切替制御部３８にフェージング速度測定処理部３４のみを対応させるとともに、変換テーブル切替制御部３８とは別個に Target ＳＩＲ Offset 加算値算出部８２を設置し、この Target ＳＩＲ Offset 加算値算出部８２に対してマルチパス数測定処理部３６、受信周波数抽出処理部６２、温度設定処理部６４及び特異受信環境ユーザ設定処理部６６の出力からオフセット加算値を算出し、このオフセット加算値によって Target ＳＩＲを修正する。【００８４】
Target ＳＩＲ Offset 加算値算出部８２は、 Target ＳＩＲのオフセット加算値を算出する手段であって、マルチパス数測定処理部３６で測定されたマルチパス数、受信周波数抽出処理部６２で抽出された受信周波数、温度設定処理部６４で設定された温度、又は、特異受信環境ユーザ設定処理部６６で設定された特異受信環境を表す数値情報を用いてオフセット加算値を算出し、 Target ＳＩＲ制御部４４に供給する。【００８５】
このような構成では、フェージング速度測定処理部３４で測定されたフェージング速度に応じて Target ＳＩＲが算出され、また、 Target ＳＩＲ Offset 加算値算出部８２では、マルチパス数測定処理部３６で測定されたマルチパス数、受信周波数抽出処理部６２で抽出された受信周波数、温度設定処理部６４で設定された温度、又は、特異受信環境ユーザ設定処理部６６で設定された特異受信環境を表す数値情報を用いてオフセット加算値Δ Target ＳＩＲが求められ、オフセット加算値Δ Target ＳＩＲによって補正された Target ＳＩＲ’は、
Target ＳＩＲ’＝ Target ＳＩＲ±Δ Target ＳＩＲ  ・・・(1) 
となる。この Target ＳＩＲ’を用いれば、受信環境やその変化に対応する最適な Target ＳＩＲを求めてＴＰＣ制御を行うことができ、Ｆ−ＤＰＣＨの電力制御を適切に行うことができる。【００８６】
その他の構成は第２の実施の形態（図６）と同一であるので、同一符号を付しその説明を省略する。【００８７】
〔他の実施の形態〕【００８８】
第３の実施の形態（図１０）において、環境情報格納メモリ６８（図６）を用いる構成とし、この環境情報格納メモリ６８にフェージング速度情報を格納し、これによって図９に示す処理手順を実行するようにしてもよい。【００８９】
また、 Target ＳＩＲ Offset 加算値算出部８２（図１０）に代え、図１１に示すように、 Target ＳＩＲ Offset 加算値処理部８４を設置するとともに、 Offset 加算値格納メモリ８６を設置する構成としてもよい。 Offset 加算値格納メモリ８６は、 Target ＳＩＲのオフセット加算値を格納する記憶手段であって、予め算出された Target ＳＩＲオフセット加算値を格納する。 Target ＳＩＲ Offset 加算値処理部８４は、測定されたマルチパス数、受信周波数、温度、又は特異受信環境により、 Offset 加算値格納メモリ８６から受信環境に対応する Target ＳＩＲオフセット加算値を選択し、このオフセット加算値を用いてもよい。【００９０】
また、第１の実施の形態（図１）において、環境情報格納メモリ６８（図６）を用いる構成とし、変換テーブル格納メモリ６９から読み出したデータを用いて変換テーブルを切り替える構成としてもよい。【００９１】
特異な受信環境としてトンネル内の受信環境を想定し、トンネル内に移動端末装置２が進入した際に、自動又はユーザ設定によって Target ＳＩＲを変更し、トンネル内の受信環境に対応した電力制御を行う構成としてもよい。【００９２】
以上述べたように、本発明の最も好ましい実施の形態等について説明したが、本発明は、上記記載に限定されるものではなく、請求の範囲に記載され、又は明細書に開示された発明の要旨に基づき、当業者において様々な変形や変更が可能であることは勿論であり、斯かる変形や変更が、本発明の範囲に含まれることは言うまでもない。
【産業上の利用可能性】
【００９３】
本発明は、Ｗ−ＣＤＭＡ方式の無線通信システム等に用いられる送信電力制御方法及びその装置に関し、受信側の受信環境及びその変化に適応した目標ＳＩＲを求めて基地局側の送信電力を制御するので、受信環境に適応する送信電力に制御でき、有用である。
【図１】
2009084091.tif 000003
【図２】
2009084091.tif 000004
【図３】
2009084091.tif 000005
【図４】
2009084091.tif 000006
【図５】
2009084091.tif 000007
【図６】
2009084091.tif 000008
【図７】
2009084091.tif 000009
【図８】
2009084091.tif 000010
【図９】
2009084091.tif 000011
【図１０】
2009084091.tif 000012
【図１１】
2009084091.tif 000013
【図１２】
2009084091.tif 000014
【図１３】
2009084091.tif 000015
【図１４】
2009084091.tif 000016
【図１５】
2009084091.tif 000017
【図１６】
2009084091.tif 000018
【図１７】
2009084091.tif 000019
【図１８】
2009084091.tif 000020
【手続補正書】
【提出日】平成22年2月9日(2010.2.9)
【手続補正１】
【補正対象書類名】特許請求の範囲
【補正対象項目名】全文
【補正方法】変更
【補正の内容】
【特許請求の範囲】
【請求項１】
受信側で測定された信号対干渉比（ＳＩＲ）を目標ＳＩＲに合致するように送信側に送信電力制御を行わせる送信電力制御方法であって、
受信側の受信環境を数値化し、受信データのエラーレートに対応する目標ＳＩＲを前記受信環境毎に設定し、
受信側で測定された受信環境又は選択された受信環境に応じて前記目標ＳＩＲを変更することを特徴とする送信電力制御方法。
【請求項２】
請求項１記載の送信電力制御方法において、
前記目標ＳＩＲに対する補正値を受信環境毎に設定し、その補正値により前記目標ＳＩＲを受信環境の変化に応じて増減させて変更することを特徴とする送信電力制御方法。
【請求項３】
請求項１記載の送信電力制御方法において、
マルチパス環境、受信周波数又は温度を数値化し、受信環境に適用した目標ＳＩＲオフセット値を求め、この目標ＳＩＲオフセット値でフェージング環境に対応する前記目標ＳＩＲを修正することを特徴とする送信電力制御方法。
【請求項４】
受信側で測定されたＳＩＲを目標ＳＩＲに合致するように送信側に送信電力制御を行わせる送信電力制御装置であって、
受信側の受信環境毎に設定され、受信データのエラーレートに対応する目標ＳＩＲを格納した記憶手段と、
受信側で測定された受信環境又は選択された受信環境に応じて前記目標ＳＩＲに更新する制御手段と、
を備えることを特徴とする送信電力制御装置。
【請求項５】
請求項４記載の送信電力制御装置において、
前記制御手段は、前記目標ＳＩＲに対する補正値を受信環境毎に設定し、その補正値により前記目標ＳＩＲを受信環境の変化に応じて増減させて変更することを特徴とする送信電力制御装置。
【請求項６】
請求項４記載の送信電力制御装置において、
マルチパス環境、受信周波数又は温度を数値化し、受信環境に適用した目標ＳＩＲオフセット値を算出する演算手段と、
フェージング環境に対応する前記目標ＳＩＲオフセット値を前記目標ＳＩＲに加算する加算手段と、
を備えることを特徴とする送信電力制御装置。
【国際調査報告】
2009084091.tif 000021
2009084091.tif 000022
2009084091.tif 000023
2009084091.tif 000024